(57)【要約】【課題】タッチ操作性を向上させることが可能な入力装置を提供する。【解決手段】入力装置は、第１の方向に向けて第１の画像を表示し、第１の方向とは異なる第２の方向に向けて第２の画像を表示することが可能なディスプレイと、ディスプレイ上に設けられたタッチパネルと、第１の画像を視認できる視覚位置に向けて、第２の画像を反射する反射部と、タッチパネルに対してタッチ操作する際に、視覚位置で視認される第１の画像の一部が妨害される状態となるか否かを検出する検出部と、ディスプレイの表示を制御する表示制御部とを備える。表示制御部は、検出部の検出結果に基づいて、第１の画像と関連のある表示をするように第２の画像の表示を制御する。【選択図】図６
2013196117.tif 000002
【特許請求の範囲】
【請求項１】
第１の方向に向けて第１の画像を表示し、前記第１の方向とは異なる第２の方向に向けて第２の画像を表示することが可能なディスプレイと、
前記ディスプレイ上に設けられたタッチパネルと、
前記第１の画像を視認できる視覚位置に向けて、前記第２の画像を反射する反射部と、
前記タッチパネルに対してタッチ操作する際に、前記視覚位置で視認される前記第１の画像の一部が妨害される状態となるか否かを検出する検出部と、
前記ディスプレイの表示を制御する表示制御部とを備え、
前記表示制御部は、前記検出部の検出結果に基づいて、前記第１の画像と関連のある表示をするように前記第２の画像の表示を制御する、入力装置。
【請求項２】
前記検出部は、
所定の信号を送信するための信号送信部と、
前記信号を受信するための信号受信部とを含み、
前記信号送信部と、前記信号受信部とは、前記ディスプレイの画面近傍または前記反射部における鏡面近傍のいずれかにそれぞれ配置される、請求項１に記載の入力装置。
【請求項３】
前記検出部は、
前記信号送信部と前記信号受信部を制御する検出制御部をさらに含み、
前記検出制御部は、前記信号受信部が、前記信号送信部からの信号を受信していないときに、前記第１の画像の一部が妨害される状態であると判断する、請求項２に記載の入力装置。
【請求項４】
前記ディスプレイの画面と、前記反射部における鏡面とのなす角度を検出する角度検出部をさらに備え、
前記検出制御部は、前記角度検出部が検出した検出角度に基づいて、前記信号送信部から送信される信号の送信角度を決定する、請求項３に記載の入力装置。
【請求項５】
前記表示制御部は、前記第１の画像の一部が妨害される状態であることを検出したとの前記検出部の判断結果に基づいて、前記第１の画像を反転させた反転表示をするように前記第２の画像の表示を制御する、請求項１〜４のいずれか１項に記載の入力装置。
【請求項６】
入力装置の制御方法であって、
前記入力装置は、
第１の方向に向けて第１の画像を表示し、前記第１の方向とは異なる第２の方向に向けて第２の画像を表示することが可能なディスプレイと、
前記ディスプレイ上に設けられたタッチパネルと、
前記第１の画像を視認できる視覚位置に向けて、前記第２の画像を反射する反射部とを含み、
前記制御方法は、
前記タッチパネルに対してタッチ操作する際に、前記視覚位置で視認される前記第１の画像の一部が妨害される状態となるか否かを検出するステップと、
前記検出された結果に基づいて、前記第１の画像と関連のある表示をするように前記第２の画像の表示を制御するステップとを含む、入力装置の制御方法。
【請求項７】
入力装置のコンピュータに実行させる制御プログラムであって、
前記入力装置は、
第１の方向に向けて第１の画像を表示し、前記第１の方向とは異なる第２の方向に向けて第２の画像を表示することが可能なディスプレイと、
前記ディスプレイ上に設けられたタッチパネルと、
前記第１の画像を視認できる視覚位置に向けて、前記第２の画像を反射する反射部とを含み、
前記制御プログラムは、
前記タッチパネルに対してタッチ操作する際に、前記視覚位置で視認される前記第１の画像の一部が妨害される状態となるか否かを検出するステップと、
前記検出された結果に基づいて、前記第１の画像と関連のある表示をするように前記第２の画像の表示を制御するステップとを実行させる、入力装置の制御プログラム。
【発明の詳細な説明】
【技術分野】
【０００１】
本発明は、デュアルビュー表示機能を有する入力装置、その制御方法、およびその制御プログラムに関する。
【背景技術】
【０００２】
従来、それぞれの画像が異なる方向から視認される、複数の画像を表示するマルチビュー表示機能を有する装置がある。当該機能を利用した、以下のような技術が開示されている。
【０００３】
例えば、特開２００７−２２６４６１号公報（特許文献１）には、入力装置が開示されている。入力装置は、タッチスクリーンとミラーとを含む。タッチスクリーンは、第１方向に向けて第１画像を表示すると同時に、第１方向とは異なる第２方向に向けて第１画像とは異なる第２画像を表示する。ミラーは、上記第１画像を視認できる視覚位置αに向けて、タッチスクリーンに表示される第２画像を反射する。
【０００４】
例えば、特開２００５−９９７８７号公報（特許文献２）には、ディスプレイが開示されている。ディスプレイは、第１のイメージからの光を第１のイメージを直接見る観察者に向かって第１の観察方向に方向付ける、マルチビューディスプレイデバイスを備える。第２のイメージからの光は、第２の方向に方向付けられ、鏡または鏡手段のような反射手段によって反射される。この光は、観察領域において第１の方向と交差する第３の方向に反射され、それにより、観察者は、仮想イメージとして、直接的なイメージに沿った第２のイメージを見る。
【先行技術文献】
【特許文献】
【０００５】
【特許文献１】特開２００７−２２６４６１号公報
【特許文献２】特開２００５−９９７８７号公報
【発明の概要】
【発明が解決しようとする課題】
【０００６】
ここで、ユーザが指（またはペン等）でタッチスクリーンに表示されたオブジェクトなどをタッチしようとするときに、当該オブジェクトに指等を近づけると、当該オブジェクトをユーザ側から視認することが困難となり、ユーザにとってはタッチ操作がしにくいという問題があった。上記の技術は、この点について考慮されたものではない。
【０００７】
本発明は、上記のような問題点を解決するためになされたものであって、タッチ操作性を向上させることが可能な入力装置、その制御方法およびその制御プログラムを提供することを目的とする。
【課題を解決するための手段】
【０００８】
本発明のある局面に従う入力装置は、第１の方向に向けて第１の画像を表示し、第１の方向とは異なる第２の方向に向けて第２の画像を表示することが可能なディスプレイと、ディスプレイ上に設けられたタッチパネルと、第１の画像を視認できる視覚位置に向けて、第２の画像を反射する反射部と、タッチパネルに対してタッチ操作する際に、視覚位置で視認される第１の画像の一部が妨害される状態となるか否かを検出する検出部と、ディスプレイの表示を制御する表示制御部とを備える。表示制御部は、検出部の検出結果に基づいて、第１の画像と関連のある表示をするように第２の画像の表示を制御する。
【０００９】
好ましくは、検出部は、所定の信号を送信するための信号送信部と、信号を受信するための信号受信部とを含み、信号送信部と、信号受信部とは、ディスプレイの画面近傍または反射部における鏡面近傍のいずれかにそれぞれ配置される。
【００１０】
好ましくは、検出部は、信号送信部と信号受信部を制御する検出制御部をさらに含む。検出制御部は、信号受信部が、信号送信部からの信号を受信していないときに、第１の画像の一部が妨害される状態であると判断する。
【００１１】
好ましくは、入力装置は、ディスプレイの画面と、反射部における鏡面とのなす角度を検出する角度検出部をさらに備える。検出制御部は、角度検出部が検出した検出角度に基づいて、信号送信部から送信される信号の送信角度を決定する。
【００１２】
好ましくは、表示制御部は、第１の画像の一部が妨害される状態であることを検出したとの検出部の判断結果に基づいて、第１の画像を反転させた反転表示をするように第２の画像の表示を制御する。
【００１３】
本発明の別の局面に従うと、入力装置の制御方法が提供される。入力装置は、第１の方向に向けて第１の画像を表示し、第１の方向とは異なる第２の方向に向けて第２の画像を表示することが可能なディスプレイと、ディスプレイ上に設けられたタッチパネルと、第１の画像を視認できる視覚位置に向けて、第２の画像を反射する反射部とを含む。制御方法は、タッチパネルに対してタッチ操作する際に、視覚位置で視認される第１の画像の一部が妨害される状態となるか否かを検出するステップと、検出された結果に基づいて、第１の画像と関連のある表示をするように第２の画像の表示を制御するステップとを含む。
【００１４】
本発明のさらに別の局面に従うと、入力装置のコンピュータに実行させる制御プログラムが提供される。入力装置は、第１の方向に向けて第１の画像を表示し、第１の方向とは異なる第２の方向に向けて第２の画像を表示することが可能なディスプレイと、ディスプレイ上に設けられたタッチパネルと、第１の画像を視認できる視覚位置に向けて、第２の画像を反射する反射部とを含む。制御プログラムは、タッチパネルに対してタッチ操作する際に、視覚位置で視認される第１の画像の一部が妨害される状態となるか否かを検出するステップと、検出された結果に基づいて、第１の画像と関連のある表示をするように第２の画像の表示を制御するステップとを実行させる。
【発明の効果】
【００１５】
以上のように、ある局面によれば、タッチ操作性を向上させることが可能となる。
【図面の簡単な説明】
【００１６】
【図１】本実施の形態に従う入力装置の外観構成の概略図である。
【図２】デュアルビュー方式のディスプレイの概要を説明するための図である。
【図３】ユーザがタッチパネルに対してタッチ操作をする際の他の入力装置の動作例を示す図である。
【図４】本実施の形態に従う入力装置において、ユーザがタッチパネルに対してタッチ操作をする際の動作例を示す図である。
【図５】本実施の形態に従う入力装置において、第１の方向からはタッチしようとする箇所を視認できないが、ミラーの鏡面を介して当該箇所を視認できることを説明するための図である。
【図６】本実施の形態に従う入力装置の構成を示すブロック図である。
【図７】本実施の形態に従う入力装置における、信号送信部および信号受信部の配置箇所を示す斜視図である。
【図８】図７に示した入力装置の側面図である。
【図９】本実施の形態に従う信号送信部が送信する信号光の送信角度を説明するための図である。
【図１０】本実施の形態に従う信号送信部から送信される信号の送信角度の決定処理手順を示すフローチャートである。
【図１１】本実施の形態に従う入力装置において、ユーザがタッチパネルに対してタッチ操作をする際の表示処理手順を示すフローチャートである。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１８】
＜Ａ．外観＞
まず、本実施の形態に従う入力装置１００の外観構成について説明する。
【００１９】
図１は、本実施の形態に従う入力装置１００の外観構成の概略図である。
図１を参照して、入力装置１００は、ディスプレイ１１０とタッチパネル１２０と開閉パネル１３０とを含む。
【００２０】
ディスプレイ１１０は、デュアルビュー機能を有するディスプレイである。具体的には、例えば、ディスプレイ１１０は、デュアルビュー液晶ディスプレイである。
【００２１】
ここで、デュアルビュー方式のディスプレイについて簡単に説明する。
図２は、デュアルビュー方式のディスプレイの概要を説明するための図である。
【００２２】
図２を参照して、デュアルビュー方式ディスプレイとは、ディスプレイ１１０の表示画面から第１の方向に向けて表示される第１の画像を表示するとともに、表示画面から第１の方向とは異なる第２の方向に向けて第２の画像を表示する方式をいう。すなわち、ディスプレイ１１０は、互いに異なる２つの画像を同時に表示する機能を有する。
【００２３】
このとき、第１の方向に向けて表示される第１の画像の視野角と、第２の方向に向けて表示される第２の画像の視野角とは互いに異なっている。したがって、ディスプレイ１１０の構成では、第１の画像を視認可能な視覚位置においては第２の画像を視認できず、第２の画像を視認可能な視覚位置においては第１の画像を視認することはできないこととなる。
【００２４】
再び図１を参照して、タッチパネル１２０は、表示部としての機能を有するディスプレイ１１０上に設けられており、抵抗膜方式、表面弾性波方式、赤外線方式、電磁誘導方式、静電容量方式などのいずれのタイプであってもよい。タッチパネル１２０は、光センサ液晶を含んでもよい。タッチパネル１２０は、所定時間毎に外部の物体によるタッチパネル１２０へのタッチ操作を検知して、タッチ座標（タッチ位置）を入力装置１００のＣＰＵ（Central  Processing  Unit）（図示しない）に入力する。すなわち、入力装置１００のＣＰＵは、タッチパネル１２０から順次タッチ座標を取得する。
【００２５】
開閉パネル１３０は、ディスプレイ１１０のカバー部材である。開閉パネル１３０は、ヒンジ１３２と、ミラー１４０とを含む。
【００２６】
ヒンジ１３２は、図１に示すように、開閉パネル１３０の一辺に形成されており、ディスプレイ１１０の近傍に取り付けられている。これにより、開閉パネル１３０は、ヒンジ１３２を回転軸として回動自在に構成されている。ユーザは、開閉パネル１３０を回動させることによって、開閉パネル１３０がディスプレイ１１０を覆う閉状態と、ディスプレイ１１０が外部に露出される開状態とを切り換えることができる。当該構成により、ディスプレイ１１０の画面とミラー１４０の鏡面とのなす角度（開閉角度）が調整可能になっている。これにより、ユーザは、ミラー１４０の反射角を、視認位置αにいるユーザの視点（目の位置）に適した角度になるように調整できる。視覚位置αとは、ディスプレイ１１０に表示される第１の画像を視認可能な位置であるとともに、ミラー１４０の鏡面を視認可能な位置である。
【００２７】
ミラー１４０は、開閉パネル１３０における、ディスプレイ１１０側の面に形成されている。開閉パネル１３０の開状態において、ミラー１４０は、ディスプレイ１１０から第２の方向に表示される第２の画像を入射し、当該第２の画像を視覚位置αに向けて反射する。
【００２８】
したがって、視覚位置αに視点があるユーザは、ディスプレイ１１０に表示されている第１の方向に向けて表示される第１の画像を視認できるとともに、ミラー１４０によって反射される第２の方向に向けて表示される第２の画像（すなわち、ミラー１４０に映される第２の画像）を視認することができる。
【００２９】
また、ミラー１４０の鏡面は、ディスプレイ１１０の画面と同一面積、またはディスプレイ１１０の画面よりも広面積であることが好ましい。これにより、ディスプレイ１１０から表示される第２の画像全体をミラー１４０によって反射することができ、ディスプレイ１１０から表示される第２の画像の一部分のみがミラー１４０によって反射されるという不都合を抑制できる。
【００３０】
＜Ｂ．動作例＞
次に、ユーザがタッチパネル１２０に対してタッチ操作をする際の入力装置１００の動作例について説明する。なお、「タッチ操作をする際」とは、タッチパネル１２０に触れた状態で、スライド操作などを行なう場合と、タッチ操作をしようとする場合（ユーザが指やペンなどをタッチパネル１２０に近づけてタッチしようとしている場合）とを含む概念である。
【００３１】
まず、ユーザがタッチパネルに対してタッチ操作をする際の他の入力装置の動作例について説明する。他の入力装置は、上述した図１に示したハードウェア構成と同様のハードウェア構成を有するものとする。
【００３２】
図３は、ユーザがタッチパネルに対してタッチ操作をする際の他の入力装置の動作例を示す図である。ここで、ユーザは、視覚位置αから他の入力装置を視認しながら、タッチパネルにタッチしようとしている状態であるとする。他の入力装置は、デュアルビュー方式のディスプレイと、タッチパネルと、ミラーとを含み、基本的には図１で説明したハードウェア構成と同様のハードウェア構成である。
【００３３】
図３（Ａ）を参照して、ディスプレイの画面は、パスワードが表示される表示領域１０００とパスワードを入力するための複数のキー群１００２とを含む。例えば、ユーザが、キー群１００２をタッチすると、表示領域１０００にタッチしたキーに対応する文字が表示される。また、ミラーの鏡面には、「操作はこちら」といったユーザにタッチ操作を促すメッセージ１００４が表示されている。
【００３４】
図３（Ｂ）を参照して、例えば、ユーザが「Ｄ」キーを選択するために、ディスプレイの画面に指を近づけると、ユーザは、自身の指に妨害されて、視覚位置αからは「Ｄ」キーが視認できなくなる。また、このとき、ミラーの鏡面には自身の指が映り込む。
【００３５】
上記のような他の入力装置では、ユーザは視覚位置αからタッチしようとしている箇所を確認できないため、タッチ操作がしにくく、また誤操作をする可能性が高くなる。
【００３６】
次に、ユーザがタッチパネル１２０に対してタッチ操作をする際の本実施の形態に従う入力装置１００の動作例について説明する。
【００３７】
図４は、本実施の形態に従う入力装置１００において、ユーザがタッチパネル１２０に対してタッチ操作をする際の動作例を示す図である。図３と同様に、ユーザは、視覚位置αから入力装置１００を視認し、タッチパネル１２０にタッチしようとしている状態であるとする。
【００３８】
図４（Ａ）を参照して、ディスプレイ１１０の画面は、パスワードが表示される表示領域１０００とパスワードを入力するための複数のキー群１００２とを含み、ミラー１４０の鏡面には、メッセージ１００４を含む（図３（Ａ）と同様）。図４（Ａ）が表示された状態で、ユーザが「Ｄ」キーを選択（タッチ）するために、ディスプレイ１１０の画面に指を近づけたときに、入力装置１００は、後述する赤外線センサにより当該ユーザの指が所定の範囲内に入ったことを検出すると、ミラー１４０の鏡面に表示されていたメッセージ１００４を、ディスプレイ１１０の画面に表示された画像の鏡像（ミラー表示）に切り替えて表示する。すなわち、入力装置１００は、第１の方向に向けて表示する第１の画像と、第２の方向に向けて表示する第２の画像とを、同じ画像にして、ミラー１４０の鏡面に、第１の画像の鏡像（ミラー表示）を表示させる。このとき、ユーザは、自身の指に妨害されて、視覚位置αからは「Ｄ」キーが視認できなくなるが、ミラー１４０の鏡面におけるキー「Ｄ」の鏡像は、自身の指によって完全に隠されてはいない。したがって、ユーザは、当該キー「Ｄ」の鏡像を視認できることから、映り込んだ自身の指とキー「Ｄ」の鏡像とを視認することにより、視覚位置αからは視認できないキー「Ｄ」と自身の指との相対的な位置を把握することができる。
【００３９】
図５は、本実施の形態に従う入力装置１００において、第１の方向からはタッチしようとする箇所を視認できないが、ミラー１４０の鏡面を介して当該箇所を視認できることを説明するための図である。
【００４０】
図５を参照すると、ユーザは、第１の画像を視認可能な視覚位置αからは、ユーザの指が妨害してタッチしようとする箇所が視認できない（すなわち、図４（Ｂ）のディスプレイ１１０の画面においてキー「Ｄ」が指で隠れている）ことがわかる。一方、第２の方向には妨害する対象物がないため、第２の方向に向けて表示する第２の画像は、ミラー１４０に導かれることがわかる。そして、当該ミラー１４０は、第２の画像の鏡像を視覚位置αに向けて反射する。
【００４１】
したがって、ユーザはタッチしようとする箇所を第１の方向からは視認できないが、ミラー１４０の鏡面を介して当該箇所を視認することができる。
【００４２】
上記によると、ユーザは、タッチ操作を容易に行なうことができ、また誤操作も軽減することができる。例えば、暗証番号の入力画面、プリンタ、電話機の入力画面など、１画面に複数のタッチ可能なボタンが表示されるような場合のタッチ操作に有用である。
【００４３】
＜Ｃ．入力装置１００の構成＞
次に、上述した動作例を実現するための入力装置１００の構成について説明する。
【００４４】
図６は、本実施の形態に従う入力装置１００の構成を示すブロック図である。
図６を参照して、入力装置１００は、ディスプレイ１１０と、タッチパネル１２０と、ミラー１４０と、検出制御部２００と、信号送信部２０２と、信号受信部２０４と、表示制御部２１０と、角度検出部２２０とを含む。検出制御部２００と、表示制御部２１０と、角度検出部２２０とは、基本的には、入力装置１００のＣＰＵ（図示しない）がメモリ（図示しない）に格納されたプログラムを実行し、入力装置１００の構成要素へ指令を与えることなどによって実現される。すなわち、入力装置１００のＣＰＵは入力装置１００の動作全体を制御する制御部としての機能を有する。なお、これらの機能構成の一部または全部はハードウェアで実現されていてもよい。なお、メモリは、例えば、ＲＡＭ（Random  Access  Memory）、ＲＯＭ（Read-Only  Memory）、ハードディスクなどによって実現される。
【００４５】
ディスプレイ１１０と、タッチパネル１２０と、ミラー１４０については上述の通りであり、ここではその詳細な説明は繰り返さない。
【００４６】
検出制御部２００は、信号送信部２０２と信号受信部２０４の動作を制御する。信号送信部２０２と、信号受信部２０４とは、ディスプレイ１１０の画面近傍またはミラー１４０における鏡面近傍のいずれかにそれぞれ配置される。具体的には、例えば、信号送信部２０２と、信号受信部２０４とは、以下の図７のように配置される。
【００４７】
図７は、本実施の形態に従う入力装置１００における、信号送信部２０２および信号受信部２０４の配置箇所を示す斜視図である。
【００４８】
図７を参照して、信号送信部２０２は、開閉パネル１３０におけるヒンジ１３２とは逆側の一辺に配置される。信号受信部２０４は、ディスプレイ１１０において、ヒンジ１３２とは逆側の一辺に配置される。なお、信号送信部２０２がディスプレイ１１０において、ヒンジ１３２とは逆側の一辺に配置され、信号受信部２０４が、開閉パネル１３０におけるヒンジ１３２とは逆側の一辺に配置されていてもよい。
【００４９】
信号送信部２０２は、信号受信部２０４に対して、信号光を送信する。信号受信部２０４は、信号送信部２０２から送信される信号光を受信する。具体的には、例えば、信号送信部２０２は、赤外線送信部であり、信号受信部２０４は、赤外線受信部である。そして、複数の赤外線送信部が開閉パネル１３０におけるヒンジ１３２とは逆側の一辺に、各赤外線送信部に対応する複数の赤外線受信部が、ディスプレイ１１０における、ヒンジ１３２とは逆側の一辺に配置される。各赤外線受信部は、対応する各赤外線送信部からの赤外線を受光する。
【００５０】
図８は、図７に示した入力装置１００の側面図である。
図８を参照して、信号送信部２０２から送信される信号光がユーザの指等によって遮られると、信号受信部２０４が受光する信号光の光量が変化する（小さくなる）。
【００５１】
検出制御部２００は、このように、信号受信部２０４が、信号送信部２０２から受光する信号光の光量が小さくなった場合（または、信号光を受光していない場合）に、ユーザがタッチパネル１２０に対してタッチ操作する際に、視覚位置αで視認される第１の画像の一部が妨害される状態であると判断する。具体的には、検出制御部２００は、各赤外線送信部から送信される赤外線が、それぞれ対応する各赤外線受信部で全て受光されている場合には、ユーザはタッチパネル１２０に対してタッチ操作をしようとする状態ではないと判断し、当該判断結果を表示制御部２１０に出力する。一方、検出制御部２００は、各赤外線送信部から送信される赤外線が、それぞれ対応する各赤外線受信部で全て受光されているわけではない場合（赤外線を受光していない赤外線受信部が存在する場合）には、ユーザがタッチパネル１２０に対してタッチ操作をしようとしていると判断し、当該判断結果を表示制御部２１０に出力する。
【００５２】
図９は、本実施の形態に従う信号送信部２０２が送信する信号光の送信角度を説明するための図である。
【００５３】
図９を参照して、検出制御部２００は、後述する角度検出部２２０が検出した、ディスプレイ１１０の画面とミラーにおける鏡面とのなす角度（開閉角度）に基づいて、信号送信部２０２から送信される信号光の送信角度を決定する。すなわち、検出制御部２００は、信号送信部２０２からの信号が適切に信号受信部２０４に送信されるように送信角度を調整する。当該送信角度θ’は、ディスプレイ１１０の画面とミラー１４０における鏡面とのなす角度をθとすると、以下の式（１）で算出される。
【００５４】
θ’＝（１８０°−θ）／２      …（１）
これにより、開閉パネル１３０の開閉状態に応じて、送信角度が決定されるため、信号光が、信号送信部２０２から信号受信部２０４に適切に送信される。
【００５５】
上述した検出制御部２００、信号受信部２０４および信号送信部２０２は、全体としてタッチパネル１２０近傍に存在する対象物を検出するための検出部としての機能を有する。上記具体例に従うと、検出部は、赤外線センサである。
【００５６】
再び、図６を参照して、表示制御部２１０は、検出制御部２００の判断結果に基づいて、第１の画像と関連のある表示をするように第２の画像の表示を制御する。具体的には、表示制御部２１０は、タッチパネルに対してタッチ操作する際に、視覚位置で視認される第１の画像の一部が妨害される状態であることを検出したとの検出制御部２００の判断結果に基づいて、ミラー１４０の鏡面に第１の画像を反転させた反転表示（ミラー表示）をするように第２の画像の表示を制御する。
【００５７】
角度検出部２２０は、開閉パネル１３０がヒンジ１３２を介して回動することによる開閉パネル１３０と、ディスプレイ１１０とがなす角度を示す開閉角度を検出する。換言すると、角度検出部２２０は、開閉パネル１３０におけるミラー１４０の鏡面と、ディスプレイ１１０の画面とがなす角度を検出する。角度検出部２２０は、例えば、開閉パネル１３０に設けられたマグネット（永久磁石）と、当該マグネットからの磁気を検出するためのディスプレイ１１０に設けられた磁気センサとを含む。すなわち、角度検出部２２０は、当該マグネットおよび当該磁気センサにより構成された開閉センサを含む。
【００５８】
角度検出部２２０は、磁気センサにより検出されたマグネットの磁気レベルに応じたレベルの電圧信号に基づいて、ヒンジ１３２を介した開閉角度を検出する。角度検出部２２０は、当該開閉センサと入力装置１００のＣＰＵとが連係動作することにより実現される機能である。
【００５９】
＜Ｄ．処理手順＞
次に、上述したような動作例を実現するための処理手順について説明する。
【００６０】
まず、信号送信部２０２から送信される信号の送信角度の決定処理手順について説明する。
【００６１】
図１０は、本実施の形態に従う信号送信部２０２から送信される信号の送信角度の決定処理手順を示すフローチャートである。
【００６２】
図１０を参照して、角度検出部２２０は、開閉パネル１３０がヒンジ１３２を介して回動することによる開閉パネル１３０と、ディスプレイ１１０とがなす角度を示す開閉角度を検出する（ステップＳ１０２）。
【００６３】
次に、検出制御部２００は、角度検出部２２０が検出した開閉角度に基づいて、信号送信部２０２から送信される信号の送信角度を算出する（ステップＳ１０４）。具体的には、検出制御部２００は、上述した式（１）に基づいて、当該送信角度を算出する。
【００６４】
次に、検出制御部２００は、算出された送信角度で信号を送信するように信号送信部２０２を制御する（ステップＳ１０６）。
【００６５】
上述したステップＳ１０２〜ステップＳ１０６の処理により、信号送信部２０２から送信される信号は、開閉パネル１３０の開閉状態に応じた送信角度で信号受信部２０４に送信される。
【００６６】
次に、ユーザがタッチパネル１２０に対してタッチ操作をする際の入力装置１００の表示処理手順について説明する。
【００６７】
図１１は、本実施の形態に従う入力装置１００において、ユーザがタッチパネル１２０に対してタッチ操作をする際の表示処理手順を示すフローチャートである。
【００６８】
図１１を参照して、検出制御部２００は、信号受信部２０４の信号光の受信状態情報を取得する（ステップＳ２０２）。次に、検出制御部２００は、取得した受信状態情報に基づいて、信号受信部２０４が信号送信部２０２から送信された信号を受信しているか否かを判断する（ステップＳ２０４）。具体的には、検出制御部２００は、各信号送信部２０２から送信される信号が、それぞれ対応する各信号受信部２０４で全て受信されているか否かを判断する。
【００６９】
検出制御部２００は、信号受信部２０４が当該信号を受信していると判断すると（ステップＳ２０４においてＹＥＳの場合）、表示制御部２１０は、第１の方向に向けて表示する第１の画像とは独立に第２の方向に向けて第２の画像をディスプレイ１１０に表示する。これに対して、検出制御部２００が、信号受信部２０４が当該信号を受信していないと判断した場合（ステップＳ２０４においてＮＯの場合）には、表示制御部２１０は、第２の画像を第１の画像に関連する画像に切り替えてディスプレイ１１０に表示するように制御する（ステップＳ２０６）。具体的には、表示制御部２１０は、ミラー１４０の鏡面に第１の画像を反転させた反転表示（ミラー表示）をするように第２の画像の表示を制御する。すなわち、表示制御部２１０は、第２の画像を第１の画像と同じ画像となるように表示制御する。
【００７０】
上記によると、ユーザは、通常はディスプレイ１１０の画面とミラー１４０の鏡面で異なる表示を視認できるとともに、タッチ操作をしようとした場合には、ミラー１４０の鏡面に表示されるタッチ操作を補助する画面を視認することができる。また、タッチ操作の補助画面（第２の画像の鏡像）は、第１の画像のミラー表示であるため、入力装置１００は、複雑な表示制御をすることなくタッチ操作の補助機能を実現することが可能である。
【００７１】
また、上記では、ステップＳ２０６において、ミラー１４０の鏡面の表示は、第１の画像のミラー表示としたが、これに限られない。ミラー１４０の鏡面に映り込んだ自身の指と当該鏡面とを視認することにより、ディスプレイ１１０におけるタッチしようとしている箇所と、自身の指との相対的な位置を把握することができる表示であればよい。
【００７２】
＜Ｅ．その他の実施の形態＞
上記では、検出部が赤外線センサである場合について説明したが、これに限られず、タッチパネルに対してタッチ操作する際に、視覚位置αで視認される第１の画像の一部が妨害される状態を検出できるものであればよい。例えば、入力装置にカメラを内蔵し、カメラの撮像エリアに対象物が侵入したか否かにより上記検出を行なってもよい。また、静電容量センサのような近接センサにより人体を検出することにより上記検出を行なってもよい。
【００７３】
なお、コンピュータを機能させて、上述のフローで説明したような制御を実行させるプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００７４】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００７５】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００７６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７７】
１００  入力装置、１１０  ディスプレイ、１２０  タッチパネル、１３０  開閉パネル、１３２  ヒンジ、１４０  ミラー、２００  検出制御部、２０２  信号送信部、２０４  信号受信部、２１０  表示制御部、２２０  角度検出部。
【図１】
2013196117.tif 000003
【図２】
2013196117.tif 000004
【図３】
2013196117.tif 000005
【図４】
2013196117.tif 000006
【図５】
2013196117.tif 000007
【図６】
2013196117.tif 000008
【図７】
2013196117.tif 000009
【図８】
2013196117.tif 000010
【図９】
2013196117.tif 000011
【図１０】
2013196117.tif 000012
【図１１】
2013196117.tif 000013